(57)【要約】      （修正有）【課題】巻尺の置き場所を忘れることがなく、巻尺を紛失する恐れがなく、随時随所で物の計測ができるリストメジャーを提供する。【解決手段】巻尺１を内蔵したケーシング２の側壁２ａに、巻尺が出入するスリット３を形成し、側壁２ａの相対する個所に取付片４を突設して取付片４に掛架した横軸５にリストバンド６を取り付ける。ケーシング２の上面に時刻盤７を固定する。【選択図】図１
0003175180.tif 000002
【実用新案登録請求の範囲】
【請求項１】
巻尺を内蔵した平面視円形状のケーシング側壁に巻尺が出入するスリットを形成し、側壁の相対する個所に各一対の取付片を突設して取付片に横軸を掛架し、該横軸にリストバンドの端部を取り付けるとともにケーシングの上面に時刻盤を固定することを特徴とするリストメジャー。
【考案の詳細な説明】
【技術分野】
【０００１】  本考案は、巻尺の操作が簡単にできて置き場所に腐心することのないリストメジャーに関する。
【背景技術】
【０００２】  物や体の寸法を測るために必要なメジャー（巻尺）は使用する段になるとその置き場所を忘れたり、携行することも少ないため随時随所での対応に手間取ることも珍しくはない。メジャーはコンパクトなためバッグやポケットに入れておけばすむことではあるが、使用頻度はハンカチやちり紙よりも遥かに低く、また嵩張ることもあって通常は身につけるといった習慣になじまないものである。また紐状のメジャーはケースを必要とせず適当な大きさに折り畳むことができるものの、その状態を維持するためには輪ゴムなどで束ねるといった面倒な作業を必要としている。そこで簡単に身につけられるようにメジャーの改良を意図した技術も散見される（例えば特許文献１〜３参照）。
【先行技術文献】
【特許文献】
【０００３】
【特許文献１】特開２００１−１３１８０８号公報
【特許文献２】実開平６−２２３２３号公報
【特許文献３】実開平５−４０８７号公報
【考案の概要】
【考案が解決しようとする課題】
【０００４】  特許文献１に記載されたものは衣服にメジャーを取り付けたメジャー付き衣服に関する発明であり、衣服の袖に取り付けた場合は、測定しようとする物に腕をあてがえば簡単に測定できるためメジャーを取り出す時間も不要となることを特徴としている。この製品ではメジャーが直接衣服の表面に位置するため特異な外観を呈し、人目を引くには十分であるが通常の衣服にそのまま取り付けるには適さない。衣服の袖部は肘の個所で絶えず屈伸動作を繰り返すためメジャーもその都度屈伸することになり、やがては屈伸部分に皴が発生して目盛りが薄れるといったことや、計測する対象物によっては袖をあてがいづらいといった問題、更にはメジャーの長さも限定されるのと、就中この衣服を着用しない限りメジャーは用をなさないといった不具合がある。【０００５】  特許文献２に記載の万能ベルトにはメジャーとして使用するための目盛りが施されていて必要時に物の計測ができることを特徴としている。この技術はメジャーだけでなく方位磁石、時計、体温計、万歩計などもバックル部に取り付けられているため多目的使用を可能とするものであるが、当然ながら構造が複雑となるため製品が高価となる懸念があり、加えてメジャー使用の際にベルトとして着用しているとその個所より取り外さなければならないといった手間のかかる欠点がある。【０００６】  特許文献３に開示された技術は時計に長さを測定するための巻尺を設けたことを特徴とする腕時計に関する考案であり、時計に巻尺を付加したことによって物の計測を行うことを意図した点では前記二つの文献よりも利便性が高いといえるが、この技術はあくまでも時計を主体としたものであるから腕時計の構造の域をでるものではなく、巻尺自体もその制約を受けることは必然で例示された範囲では巻尺の取り付け構成が具体性に乏しく、機能・操作性も明確でないという問題がある。【０００７】  本考案はこれら従来技術の問題点に鑑みてなされたもので、メジャーを手首に装着して物の計測をいつでも簡単に行うことができ、また時刻確認ができる機能も持たせるようにした体裁の良いリストメジャーを提供することを目的としている。
【課題を解決するための手段】
【０００８】  課題解決のために本考案は、巻尺を内蔵した平面視円形状のケーシング側壁に巻尺が出入するスリットを形成し、側壁の相対する個所に各一対の取付片を突設して取付片に横軸を掛架し、該横軸にリストバンドの端部を取り付けるとともにケーシングの上面に時刻盤を固定することを特徴としている。
【考案の効果】
【０００９】  巻尺を内蔵したケーシングは絶えず身に着けているためいつでも引き出して使用することができ、置き場所に腐心したり置き忘れる恐れがなく、また使用後は自動的にケーシング内に収納されるため外部からは巻尺であることすら認識されないですむ。近時健康アップや装飾上の観点から手首にもリング状の小物を嵌めるスタイルが増加していることもありケーシングを手首に着用しても何ら違和感がないだけでなくリストバンドで手首に取り付けるため一見腕時計と同じように視認され手首周りを装飾する効果もある。【００１０】  ケーシング自体に装飾を施すこともできるが、その上面に時刻盤を設けることにより実用価値は一層向上する。最近では安価な腕時計も汎用されるようになっている実状に鑑みてそれらの素材を組み合わせると、製品コストに負担をかけないでも全体が見栄えの良い腕時計状のものとすることができるので製品価値を高める点からも好ましい。【００１１】  手首に嵌めたまま一方の手で巻尺を引き出せば直ちに物の計測ができ、両手で巻尺を掴むのと変わらない楽な姿勢で操作でき、必要に応じいつでも使用できる安心感がある。加えて巻尺はケーシングにより保護されており汚れの付着や歪曲変形するといった恐れがなく耐久性を有する。
【図面の簡単な説明】
【００１２】
【図１】本考案の概略斜視図である。
【図２】本考案の側面図である。
【図３】本考案を手首に取り付けた説明図である。
【考案を実施するための形態】
【００１３】  図面に基づき本考案の形態を説明すると、図１及び図２に示すように、巻尺１は平面視円形状のケーシング２に内蔵され、ケーシング２の側壁２ａに前記巻尺１が出入するスリット３が形成されている。巻尺１の外端屈曲部１ａはスリット３の外側に位置し、通常巻尺１がバネ作用でケーシング２内に没入しているときはこの部分が側壁２ａに密接し、使用するときは屈曲部１ａを指でつまんで引き出せばよく、その要領は従来の巻尺と特に変わりはない。
【００１４】  巻尺１は布材ないしスチールなどを素材とし、幅は６ｍｍ程度となるが長さは１ｍからそれ以上とすることもでき、なお両面に寸法を計測する目盛りＭを設け、側壁２ａの適所に、押しボタン式に操作できるストッパーＳを設けておくと引き出し個所の固定ができるので望ましい。
【００１５】  またケーシング２の側壁２ａの相対する個所には夫々一対の取付片４が突設してあり、この取付片４に横軸５を掛架することによってリストバンド６の端部を取り付けることができる。リストバンド６は一般的な時計バンドと同じような形状・素材で構成できるため安価に得られる。
【００１６】  ７はケーシング２の上面に固定した時刻盤であり、通常の腕時計に用いられるものと大差はないが可及的厚みの薄いものを取り付ける。時刻盤７は図示のような針時計（アナログ式）のものはもとよりデジタル式に表示されるものでも差し支えはなく、ケーシング２の上面に接着剤等を介し容易に固定できる。
【００１７】  前記のようにケーシング２の上面に時刻盤７を固定すると、リストバンド６で全体を手首に装着したときには（図３）、図示のように引き出さない限り巻尺１の存在が第三者には全く分からず普通の腕時計を嵌めているように見えるだけであり頗る体裁が良い。そして必要時に巻尺１を引き出すと、それを目視した第三者は興趣感を起こし、着用者にとっても一種の満足感が得られる。
【００１８】  なお前記したところは一例であり、ケーシング２は必ずしも円形に拘束されることはなく、またストッパーＳの有無、巻尺１における目盛りＭの形態、更には時刻盤７及びリストバンド６の固定方法などは本考案の目的効果を奏する範囲において任意に変更可能であり、それらの事項も本考案の実施の範疇に属するものである。
【符号の説明】
【００１９】  １    巻尺
２    ケーシング
２ａ  側壁
３    スリット
４    取付片
５    横軸
６    リストバンド
７    時刻盤
【図１】
0003175180.tif 000003
【図２】
0003175180.tif 000004
【図３】
0003175180.tif 000005